(57)【要約】【課題】愛着を持って育てたペットを供養する際に、従来の骨壺よりもさらに愛着を持って亡くなったペットを偲ぶことができるペット用骨壺およびペット供養セットの提供を目的とする。【解決手段】本考案のペット用骨壺１は、内部にペットの遺骨を収容可能な空洞Ｓを有し、動物を模した形状を呈する本体２と、本体２の底部に設けられた、開閉可能な蓋部３とを備え、本体２が、頭部２１と、頭部２１と連続して形成された首部２２と、首部２２から本体２の底部に向かって形成される胴部２３とを備え、首部２２に、ペットの名前、絵または写真を表示可能な首輪状の位牌部４が設けられている。【選択図】図１
0003204459.tif 000002
【実用新案登録請求の範囲】
【請求項１】
内部にペットの遺骨を収容可能な空洞を有し、動物を模した形状を呈する本体と、
前記本体の底部に設けられた、開閉可能な蓋部とを備え、
前記本体が、頭部と、頭部と連続して形成された首部と、前記首部から前記本体の底部に向かって形成される胴部とを備え、前記本体に、ペットの戒名、名前、命日、享年、メッセージ、絵および写真のうちのいずれか１つ以上を表示可能な位牌部が設けられ、
前記位牌部が、前記本体に着脱可能な、首輪、バンダナ、衣類または装飾品であるペット用骨壺。
【請求項２】
前記蓋部が、前記本体の底部からわずかに突出して設けられ、前記ペット用骨壺を載置する載置面に接触する平坦面を有している請求項１記載のペット用骨壺。
【請求項３】
請求項１または２記載のペット用骨壺と、
前記ペット用骨壺が載置される土台部とを備えたペット供養セットであって、
前記ペット用骨壺の底部に骨壺側係合部が設けられ、
前記土台部に前記骨壺側係合部と直接または間接的に係合する土台部側係合部が設けられているペット供養セット。
【考案の詳細な説明】
【技術分野】
【０００１】
本考案はペット用骨壺および該ペット用骨壺を備えたペット供養セットに関する。
【背景技術】
【０００２】
近年、ペットを飼う世帯はペットを家族として愛情を持って育てている。そのため、ペットが亡くなってしまった場合、人と同様に火葬して遺骨を骨壺に収容して供養するケースが増えてきている。特許文献１には、そのようなペット用の骨壺が記載されている。この特許文献１の骨壺は、上面が開口した筒状の本体と、本体の上面側の開口を閉鎖する蓋とを備え、本体の側周面にペットの写真が印刷または転写されている。
【先行技術文献】
【特許文献】
【０００３】
【特許文献１】特開平８−２６６５７８号公報
【考案の概要】
【考案が解決しようとする課題】
【０００４】
しかし、上述した特許文献１のように人の骨壺と同じような骨壺では、ペット専用の骨壺としては飼い主の期待に沿うものではない。また、特許文献１のような骨壺は、上面に蓋が設けられており、骨壺の外観上も好ましくない。
【０００５】
そこで、本考案はかかる問題点に鑑みて、愛着を持って育てたペットを供養する際に、従来の骨壺よりもさらに愛着を持って亡くなったペットを偲ぶことができるペット用骨壺およびペット供養セットの提供を目的とする。
【課題を解決するための手段】
【０００６】
本考案のペット用骨壺は、内部にペットの遺骨を収容可能な空洞を有し、動物を模した形状を呈する本体と、前記本体の底部に設けられた、開閉可能な蓋部とを備え、前記本体が、頭部と、頭部と連続して形成された首部と、前記首部から前記本体の底部に向かって形成される胴部とを備え、前記本体に、ペットの戒名、名前、命日、享年、メッセージ、絵および写真のうちのいずれか１つ以上を表示可能な位牌部が設けられ、前記位牌部が、前記本体に着脱可能な、首輪、バンダナ、衣類または装飾品であることが好ましい。
【０００７】
また、前記蓋部が、前記本体の底部からわずかに突出して設けられ、前記ペット用骨壺を載置する載置面に接触する平坦面を有していることが好ましい。
【０００８】
また、本考案のペット供養セットは、上記ペット用骨壺と、前記ペット用骨壺が載置される土台部とを備えたペット供養セットであって、前記ペット用骨壺の底部に骨壺側係合部が設けられ、前記土台部に前記骨壺側係合部と直接または間接的に係合する土台部側係合部が設けられていることを特徴とする。
【考案の効果】
【０００９】
本考案のペット用骨壺およびペット供養セットによれば、愛着を持って育てたペットを供養する際に、従来の骨壺よりもさらに愛着を持って亡くなったペットを偲ぶことができる。
【図面の簡単な説明】
【００１０】
【図１】本考案の一実施形態のペット用骨壺の部分断面図である。
【図２】図１のペット用骨壺の上面図である。
【図３】図１のペット用骨壺の側面図である。
【図４】図１のペット用骨壺の底面図である。
【図５】本考案の他の実施形態のペット用骨壺の正面図である。
【図６】本考案のさらに他の実施形態のペット用骨壺の正面図である。
【図７】（ａ）は、本考案の一実施形態のペット供養セットの上面図であり、（ｂ）は正面図である。
【図８】（ａ）は、本考案の他の実施形態のペット供養セットの正面図であり、（ｂ）は側面図である。
【考案を実施するための形態】
【００１１】
以下、添付図面を参照し、本考案の一実施形態のペット用骨壺を詳細に説明する。
【００１２】
図１に示されるように、本考案のペット用骨壺１は、内部にペットの遺骨（図示せず）を収容可能な空洞Ｓを有し、動物を模した形状を呈する本体２と、本体２の底部２Ｂに設けられた、開閉可能な蓋部３（図４参照）とを備えている。
【００１３】
本体２は、動物を模した形状を呈した遺骨を収容する収容体である。本体２が動物を模した形状であることにより、その外観によって、飼い主はペット用骨壺１により亡くなったペットを想い起こすことができる。なお、本実施形態では、本体２は、図１〜図５に示されるように、犬を模した形状として示されているが、図６に示されるように、本体２は猫の形状を呈していてもよいし、犬、猫以外の他の動物の形状としてもよい。
【００１４】
本体２は、図１および図３に示されるように、頭部２１と、頭部２１と連続して形成された首部２２と、首部２２から本体２の底部２Ｂに向かって形成される胴部２３とを備えている。
【００１５】
頭部２１は、動物の顔が位置する部位であり、本実施形態では、図１〜図３に示されるように、犬の目、鼻、耳が形成されている。なお、頭部２１の形状は、特に図示する形状に限定されるものではなく、図１に示されるような耳が立ったタイプの頭部２１以外に、たとえば耳が垂れたタイプの頭部としてもよい。首部２２は、胴部２３と頭部２１との間の部分である。この首部２２に後述する位牌部４が設けられる。胴部２３には、図２および図３に示されるように、動物の脚やしっぽが設けられている。胴部２３は、本実施形態では、図１および図３に示されるように、蓋部３が設けられた底部２Ｂ側から上方に向かうにつれて徐々に細くなるように形成されている。本実施形態では、頭部２１、首部２２、胴部２３から構成される本体２は、全体として縦長に形成され、表面が滑らかに形成されている。本体２の大きさは特に限定されないが、仏壇内にペット用骨壺１を入れることができるように小型であることが好ましい。たとえば、本体２は、横幅を５０〜１００ｍｍ、奥行を５０〜１００ｍｍ、高さを１００〜２００ｍｍとすることができる。本体２の材料は特に限定されないが、たとえば、陶器、磁器などから製造することができる。
【００１６】
本体２の底部２Ｂには、図１に示されるように、開口が形成され、底部２Ｂに形成された開口に蓋部３が取り付けられる。蓋部３は、周縁が本体２に形成された開口の開口縁に固定される蓋受部３１と、蓋受部３１に対して着脱可能な蓋３２とを備えている。本実施形態では、蓋受部３１は、図１および図４に示されるように、フランジ部を有する環状の部材であり、たとえば、フランジ部が底部２Ｂと接着等により接合されて本体２に取り付けられる。蓋受部３１の内周面には、蓋３２の外周に形成された雄ねじが螺合する雌ねじが形成されている。蓋３２は、図４に示されるように、円盤状の部材であり、中央部には溝Ｇが形成されている。蓋３２を螺合したり外したりする際に、コインなどを溝Ｇに差し込んで蓋３２を回転させることにより、蓋３２を開閉させることができる。また、本実施形態では、図１に示されるように、蓋３２の外周にはＯリング３３が設けられており、蓋３２を閉鎖したときの密封性を高めている。なお、蓋部３の構造は図示する構造に限定されるものではなく、本体２の内部に遺骨を入れることができ、その後本体２を閉鎖できる構造であればよい。蓋部３の材料は特に限定されないが、アルミ等の金属により形成することができる。
【００１７】
本実施形態では、蓋部３が本体２の底部２Ｂに設けられていることにより、ペット用骨壺１の表面から蓋部３が見えることがない。そのため、ペット用骨壺１を設置して拝むときに無機質な部分が見えず、よりペットに近い感覚でペット用骨壺１をお祀りすることができる。
【００１８】
また、本実施形態では、蓋部３は、本体２の底部２Ｂからわずかに突出して設けられ、ペット用骨壺１を載置する載置面に接触する平坦面を有している。ペット用骨壺１がたとえば陶器や磁器である場合、本体２の底部２Ｂは、形状にばらつきがあり、平坦でない場合がある。しかし、蓋部３がわずかに本体２の底部２Ｂから突出させた平坦面を有していることにより、ペット用骨壺１を仏壇や棚などの載置面に置いたときにペット用骨壺１が安定する。なお、蓋部３の平坦面は、上述した蓋受部３１または蓋３２のいずれかに形成されていればよい。
【００１９】
また、図１〜図３に示されるように、本実施形態のペット用骨壺１は、本体２に（本実施形態では首部２２に）、ペットの名前等を表示可能な位牌部４が設けられている。位牌部４は、亡くなったペットを偲ぶために、亡くなったペットを象徴する位牌として機能する部位である。位牌部４は、図１〜図３に示されるように、首輪状の帯部４１を有している。帯部４１の形状は公知の首輪と同様の形状とすることができる。また、帯部４１の材質は、特に限定されないが、たとえば皮製とすることが好ましい。
【００２０】
本実施形態では、位牌部４には、亡くなったペットの名前および亡くなったペットへのメッセージが記され、位牌部４の帯部４１にペットの名前およびペットへのメッセージが彫りこまれている。しかし、位牌部４は、位牌として機能するものであれば、ペットの戒名、名前、命日、享年、メッセージ、絵および写真のうちのいずれか１つまたは複数が表示されていればよい。たとえば、図６に示されるように、ペットの名前とペットの命日を記してもよいし、図５に示されるように、ペットの絵や写真などを表示するようにしてもよい。また、位牌部４は、本実施形態では、首輪状の位牌部とされているが、位牌部４は首輪に限定されない。たとえば、位牌部４は、本体２に着脱可能な、バンダナ、衣類またはその他の装飾品であってもよい。位牌部４は、本体２に取り付けられることにより、骨壺と位牌とが一体となる。なお、図５に示される変形例においては、位牌部４は、位牌部４の帯部４１に、ペットの写真を入れることが可能な収容部を有するホルダ４２が設けられ、より亡くなったペットを身近に感じることができる。ホルダ４２は、たとえば、図５に示されるように、帯部４１からぶら下がるように設けられたフォトチャームとすることができる。フォトチャームは、図５では犬小屋の形としているが、その形状は特に限定されない。
【００２１】
なお、位牌部４には、ペットの名前、ペットへのメッセージ、ペットの命日、ペットの絵・写真のうち、少なくとも１つが表示されていればよく、これらのうちの複数を組み合わせて位牌部４に表示させてもよい。また、図５に示されるように位牌部４にホルダ４２が設けられる場合、図５では帯部４１には何も表示されていないが、帯部４１にペットの名前やメッセージを表示するようにしてもよい。また、図５に示されるホルダ４２にペットの名前を表示してもよい。
【００２２】
このように、亡くなった動物を模した形状を呈した本体２に、位牌として機能する位牌部４を首輪のように設けることにより、ペット用骨壺１は従来の骨壺と異なり、飼い主がより親しみやすく、愛着を持って亡くなったペットを偲ぶことができる。また、首輪状の位牌部４が動物型の本体２と一体的に設けられていることにより、従来のような札と台座とから構成されている人用の位牌とは異なり、亡くなったペットのことをすぐに連想することができる。
【００２３】
つぎに、図７を参照し、ペット供養セットＭについて説明する。
【００２４】
図７に示されるように、一実施形態のペット供養セットＭは、ペット用骨壺１と、ペット用骨壺１が載置される土台部Ｂとを備えている。ペット用骨壺１は、上述したものと同様の構成であるため、その説明は省略する。
【００２５】
土台部Ｂは、ペット用骨壺１を載置するための土台となる。本実施形態では、図７（ａ）および（ｂ）に示されるように、土台部Ｂは、ペット用骨壺１が配置される骨壺配置スペースＡ１と、仏具やペットの好物などをお供えする、お供え物スペースＡ２とを備えている。本実施形態では、骨壺配置スペースＡ１には、人工芝など、ペットのくつろぎスペースを模したマット状部材が表面に形成されている。これにより、実際にペットが遊んでいるかのように見え、よりペットを懐かしみながら偲ぶことができる。また、骨壺配置スペースＡ１に隣接してお供え物スペースＡ２が設けられていることにより、位牌部４を有するペット用骨壺１に様々なものをお供えすることができる。また、図７（ａ）および（ｂ）に示されるように、土台部Ｂ（お供え物スペースＡ２）に、ペットの名前、絵、写真、メッセージなどを入れることができる収容部を有する小屋型のプレートＰを設けても構わない。
【００２６】
また、本実施形態では、ペット用骨壺１の底部２Ｂに骨壺側係合部Ｅ１（図４参照）が設けられ、土台部Ｂに骨壺側係合部Ｅ１と直接または間接的に係合する土台部側係合部Ｅ２が設けられている。ペット用骨壺１に設けられた骨壺側係合部Ｅ１と、土台部側係合部Ｅ２とが直接または間接的に係合することにより、ペット用骨壺１を土台部Ｂ上で安定して支持することができる。したがって、たとえば、子供やペットが誤って触れた際にペット用骨壺１が転倒して土台部Ｂから落下することなどによる、ペット用骨壺１の破損を防止することができる。
【００２７】
なお、本実施形態では、骨壺側係合部Ｅ１は、図４に示されるように、蓋部３の蓋受部３１に形成された穴状の部位として示され、この穴状の骨壺側係合部Ｅ１に、ロッド状の接合部材Ｃ（図７（ｂ）参照）の一端側が挿入されて取り付けられ、接合部材Ｃの他端側が土台部側係合部Ｅ２に挿入されて取り付けられている。しかし、骨壺側係合部Ｅ１および土台部側係合部Ｅ２は、ペット用骨壺１を土台部Ｂに安定して支持することができれば、他の方法で係合してもよい。たとえば、土台部Ｂに上方に突出する突出部を形成して土台部側係合部とし、その突出部を骨壺側係合部Ｅ１の穴に挿入することにより固定してもよい。
【００２８】
以上のように、本実施形態のペット供養セットＭによれば、上述したペット用骨壺１の効果に加えて、ペットの供養時に飼い主がペットを懐かしむことができ、より愛着を持った供養セットとすることができる。また、本実施形態のペット供養セットＭは、土台部Ｂとペット用骨壺１とが着脱自在であるため、土台部Ｂ上に載せて供養することもできるし、たとえば人用の仏壇に共にお祀りすることもできる。
【００２９】
つぎに、図７（ａ）および（ｂ）に示したペット供養セットＭの変形例を、図８（ａ）および（ｂ）に示す。図８（ａ）および（ｂ）に示すペット供養セットＭ２は、図７（ａ）および（ｂ）に示す土台部Ｂとは形状が異なり、ペット用骨壺１として図６に示す猫を模したペット用骨壺が用いられている。図８（ａ）および（ｂ）のペット供養セットＭ２は、土台部Ｂ２以外は基本的には図７（ａ）および（ｂ）で説明したペット供養セットＭ１と同様の構成を有しているため、共通する点についての説明は省略する。
【００３０】
図８（ａ）および（ｂ）に示される土台部Ｂ２は、建物形状を呈した土台として形成され、土台部Ｂ２には屋根Ｒが形成されている。本実施形態では、屋根Ｒは、骨壺配置スペースＡ１１と、ペットの名前、絵、写真、メッセージなどを入れることができる表示スペースＡ１２を備えている。本実施形態では、屋根Ｒは、平坦な天面部Ｒ１と、天面部に対して傾斜した傾斜部Ｒ２とを備えており、天面部Ｒ１に骨壺配置スペースＡ１１が形成され、傾斜部Ｒ２に表示スペースＡ１２が形成されている。天面部Ｒ１には、骨壺配置スペースＡ１１の他、上述したお供え物スペースＡ１３が設けられている。このように、ペット供養セットＭ２によれば、ペット供養セットＭ１について説明した効果と同様の効果を得ることができ、さらに猫が屋根の上に座っているように見え、よりペットを偲ぶ気持ちを高めることができる。
【符号の説明】
【００３１】
１  ペット用骨壺
２  本体
２１  頭部
２２  首部
２３  胴部
２Ｂ  底部
３  蓋部
３１  蓋受部
３２  蓋
３３  Ｏリング
４  位牌部
４１  帯部
４２  ホルダ
Ａ１、Ａ１１  骨壺配置スペース
Ａ２、Ａ１３  お供え物スペース
Ａ１２  表示スペース
Ｂ  土台部
Ｂ２  土台部
Ｃ  接合部材
Ｅ１  骨壺側係合部
Ｅ２  土台部側係合部
Ｇ  溝
Ｍ、Ｍ２  ペット供養セット
Ｐ  プレート
Ｒ  屋根
Ｒ１  天面部
Ｒ２  傾斜部
Ｓ  空洞
【図１】
0003204459.tif 000003
【図２】
0003204459.tif 000004
【図３】
0003204459.tif 000005
【図４】
0003204459.tif 000006
【図５】
0003204459.tif 000007
【図６】
0003204459.tif 000008
【図７】
0003204459.tif 000009
【図８】
0003204459.tif 000010